(57)【特許請求の範囲】
【請求項１】
セパレートローラと、これに圧接するリタードローラとを備え、該セパレートローラは駆動軸に対して両端で回動可能に支持されるとともに、その中央部は該駆動軸に非接触の中空部に構成された分離給紙装置であって、
前記駆動軸に回転自在に外嵌されたカラーと、
前記カラーに回転自在に外嵌された、前記セパレートローラの一端を支持するローラ受け筒体と、
前記カラーに隣接して前記駆動軸に外嵌固定されたハブと、
前記ハブの反カラー側の側方で前記駆動軸に回転自在に外嵌された、前記セパレートローラの他端を支持するローラ支持体と、
前記中空部で、前記ローラ受け筒体と、前記カラーと、前記ハブとに跨って外嵌された、駆動軸の用紙搬送方向の回転方向を締まり方向とするスプリングクラッチと、
を備えたことを特徴とする分離給紙装置。
【請求項２】
前記セパレートローラの下流側にセパレートローラよりも速い速度で回転するフィードローラを配置したことを特徴とする請求項１に記載の分離給紙装置。
【請求項３】
前記分離給紙装置は、
原稿を繰り出すピックアップローラと、
前記カラーに固設されたセパレートギアと、
前記ピックアップローラを前記セパレートローラと同一方向に回転させる、前記セパレートギアを含むギア列と、
を備え、
前記セパレートローラの駆動軸が用紙搬送方向へ回転駆動して前記スプリングクラッチが締まり方向へ作動することで、前記ギア列を介して前記ピックアップローラが前記セパレートローラと同一方向に回転することを特徴とする請求項１又は請求項２に記載の分離給紙装置。
【請求項４】
前記分離給紙装置は、
前記駆動軸に回転自在に嵌装されたピックアップアームと、
前記駆動軸と平行に配置されて、前記ピックアップアームの先端部に固設されたピックアップローラ軸と、
前記駆動軸と平行に配置されて、前記ピックアップアームの中途部に固設された中間伝動軸と、
前記ピックアップローラ軸に回転可能に外嵌されたピックアップギアと、
前記中間伝動軸に回転可能に外嵌された、前記ピックアップギアと前記セパレートギアの双方と噛合する中間ギアと、
前記ピックアップギアに隣接して、前記ピックアップローラ軸に回転可能に外嵌された、前記ピックアップローラを外嵌固設したローラ受け筒体と、
前記ピックアップギアの筒部の外周面と前記ピックアップローラのローラ受け筒体のピックアップギア側の外周面とに跨って外嵌された、前記ピックアップギアの用紙搬送方向の回転方向を緩み方向とする第１のスプリングと、
前記ピックアップアームと前記中間ギアとの間に介装されて、前記中間ギアを付勢する第２のスプリングと、
を備えたことを特徴とする請求項３に記載の分離給紙装置。
【発明の詳細な説明】
【０００１】
【発明の属する技術分野】
本発明は、積載された紙を上層より一枚ずつ分離して、搬送下手側のフィードローラーに搬送する分離給紙装置であって、セパレートローラとリタードローラとの間のニップ部に紙を挟み込むと共にピックアップアームを下ろしてピックアップローラーを紙上面に押接し、該フィードローラーのニップ部に紙が挿入されると共に該ピックアップアームを上げて該ピックアップローラーを解除する構造に関する。
【０００２】
【従来の技術】
従来から、セパレートローラと、該セパレートローラに圧接するリタードローラと、セパレートローラ軸にスプリングクラッチ等のワンウェイクラッチを介して連結されたピックアップアームと、該ピックアップアームの先端部に設けて、セパレートローラ軸から前記スプリングクラッチ、及びギア列を介して駆動するように構成したピックアップローラとから成るローラの駆動伝達機構が提案されている。
【０００３】
このようなローラの駆動伝達機構を用いた分離給紙装置は、図７に示すような構成となっている。即ち、セパレートローラ軸５１にピックアップアーム５２を遊嵌して、該ピックアップアーム５２にはギア５９・５４を回転可能に取付けている。該ギア５４を支持している軸５３に、ピックアップローラ５６を外嵌固設したローラ受け筒体５５を嵌装しており、該ローラ受け筒体５５、及びギア５４の外周面には、該ギア５４の回転方向を緩み方向とするようにスプリング５７が外装されている。
尚、ギア５９は軸５８に支持され、また、スプリング５８ａにより付勢されている。そして、ピックアップアーム５２の先端部は、アームスプリング６５によって、上方に回動する方向に付勢されている。
【０００４】
また、前記セパレートローラ軸５１には、ギア６０ａを一体的に形成したセパレートカラー６０が回転自在に嵌装され、該ギア６０ａ、前記ギア５９、及びギア５４がお互いに噛合して、ギア６０ａとギア５４との回転方向が同一方向になるように構成している。
前記セパレートカラー６０には、セパレートローラ６２を外嵌固設したローラ受け筒体６１が回転自在に外嵌されており、セパレートカラー６０のギア６０ａとは反対側において、セパレートハブ６３がセパレートローラ軸５１に外嵌固設されている。
そして、セパレートローラ６２のギア６０ａとは反対側の外方においては、該セパレートハブ６３、セパレートカラー６０、及びローラ受け筒体６１の外周面には、セパレートローラ軸５１の回転方向を締まり方向とするスプリングクラッチ６４が外装されている。
【０００５】
このように構成した分離給紙装置において紙を繰込む際には、セパレートローラ軸５１が回転し、この回転によりスプリングクラッチ６４が締まって、セパレートハブ６３、セパレートカラー６０、及びローラ受け筒体６１が一体的に回転する。
この回転に伴ってギア６０ａが回転し、該ギア６０ａと噛合したギア５９は、スプリング５８ａの付勢力により軸５８に対する回転を阻止されているので、ピックアップアーム５２、及びピックアップローラ５６と共に下方に回動する。
そして、ピックアップローラ５６が紙面に到達すると、ギア５９が回転すると共にギア５４が回転して、ピックアップローラ５６が回転を開始するのである。
【０００６】
こうして、ピックアップローラ５６が紙面の最上面に押接する状態になると、セパレートローラ軸５１の回転駆動と共に、セパレートローラ６２及びこれに押接するリタードローラが、紙の搬送方向に回転する。この回転がギア６０ａ、ギア５８、及びギア５４によって伝動されて、ピックアップローラ５６もセパレートローラ６２と同一方向に回転し、積載された紙を、下流側のセパレートローラ６２とリタードローラとの間に繰り出すのである。
そして、ピックアップローラ５６により繰り出された紙は、セパレートローラ６２とリタードローラとに挟持されて、搬送される。
【０００７】
このようにして、繰出搬送された紙が、セパレートローラ６２及びリタードローラの下流側に配置した用紙搬送ローラに達して、該用紙搬送ローラにより搬送されるようになると、用紙搬送ローラの搬送速度が、セパレートローラ６２の搬送速度よりも速いため、スプリングクラッチ６４が緩んでセパレートローラ６２が空回りし、また、ピックアップローラ５６が上方にはね上げられて、紙面から離れるように構成していた。
【０００８】
【発明が解決しようとする課題】
しかし、前記セパレートローラ６２にはリタードローラが押接しているので、お互いに広範囲で接触しているローラ受け筒体６１とセパレートカラー６０との間に、大きな摩擦力が働く。
そして、用紙搬送ローラに達した紙が、該用紙搬送ローラにより搬送されるようになって、スプリングクラッチ６４が緩んでも、この摩擦力によってセパレートカラー６０の回転動作が規制されて、ピックアップローラ５６の上昇がうまく行なわれず、次の原稿を繰り出すことができない場合があった。
また、ピックアップローラ５６が下がったままであると、該ローラ５６が用紙に対して負荷となり、画の伸びが発生することもあった。
また、セパレートハブ６３、セパレートカラー６０、及びローラ受け筒体６１の外周面にスプリングクラッチ６４が外装されたワンウェイクラッチ部が、セパレートローラ６２の外方に取付けられているので、用紙ガイドの形状が制約されたり、用紙スタック量が制約されたりする場合があった。
【０００９】
【課題を解決するための手段】
本発明は、分離給紙装置における以上のような課題を解決すべく、次のような手段を用いるものである。即ち、請求項１に記載の発明においては、セパレートローラと、これに圧接するリタードローラとを備え、該セパレートローラは駆動軸に対して両端で回動可能に支持されるとともに、その中央部は該駆動軸に非接触の中空部に構成された分離給紙装置であって、前記駆動軸に回転自在に外嵌されたカラーと、前記カラーに回転自在に外嵌された、前記セパレートローラの一端を支持するローラ受け筒体と、前記カラーに隣接して前記駆動軸に外嵌固定されたハブと、前記ハブの反カラー側の側方で前記駆動軸に回転自在に外嵌された、前記セパレートローラの他端を支持するローラ支持体と、前記中空部で、前記ローラ受け筒体と、前記カラーと、前記ハブとに跨って外嵌された、駆動軸の用紙搬送方向の回転方向を締まり方向とするスプリングクラッチと、を備えた構成とする。
【００１０】
また、請求項２に記載の発明においては、前記セパレートローラの下流側にセパレートローラよりも速い速度で回転するフィードローラを配置する。
【００１１】
そして、請求項３に記載の発明においては、前記分離給紙装置は、原稿を繰り出すピックアップローラと、前記カラーに固設されたセパレートギアと、前記ピックアップローラを前記セパレートローラと同一方向に回転させる、前記セパレートギアを含むギア列と、を備え、前記セパレートローラの駆動軸が用紙搬送方向へ回転駆動して前記スプリングクラッチが締まり方向へ作動することで、前記ギア列を介して前記ピックアップローラが前記セパレートローラと同一方向に回転するように構成する。
さらに、請求項４に記載の発明においては、前記分離給紙装置は、前記駆動軸に回転自在に嵌装されたピックアップアームと、前記駆動軸と平行に配置されて、前記ピックアップアームの先端部に固設されたピックアップローラ軸と、前記駆動軸と平行に配置されて、前記ピックアップアームの中途部に固設された中間伝動軸と、前記ピックアップローラ軸に回転可能に外嵌されたピックアップギアと、前記中間伝動軸に回転可能に外嵌された、前記ピックアップギアと前記セパレートギアの双方と噛合する中間ギアと、前記ピックアップギアに隣接して、前記ピックアップローラ軸に回転可能に外嵌された、前記ピックアップローラを外嵌固設したローラ受け筒体と、前記ピックアップギアの筒部の外周面と前記ピックアップローラのローラ受け筒体のピックアップギア側の外周面とに跨って外嵌された、前記ピックアップギアの用紙搬送方向の回転方向を緩み方向とする第１のスプリングと、前記ピックアップアームと前記中間ギアとの間に介装されて、前記中間ギアを付勢する第２のスプリングと、を備えた構成とする。
【００１２】
【発明の実施の形態】
本発明の実施の形態を、添付の図面より説明する。図１は本発明の分離給紙装置を搭載した自動原稿送り装置を有するファクシミリ装置を示す斜視図、図２は自動原稿送り装置を示す側面図、図３は本発明の分離給紙装置を示す平面断面図、図４は同じく斜視図、図５はギア列の回転方向を示す側面略図、図６は分離給紙装置による用紙の繰り出しの様子を示す側面略図、図７は従来の分離給紙装置を示す平面断面図である。
【００１３】
本発明の分離給紙装置を搭載した自動原稿送り装置について説明する。図１、図２においては、本発明の分離給紙装置をファクシミリ装置の自動原稿送り装置に搭載した例を示しており、ファクシミリ装置の本体Ｂの上部に自動原稿送り装置Ａが形成されている。該自動原稿送り装置Ａの外側には、原稿載置トレイＴと排出原稿載置トレイＴ’とを上下に配設している。
【００１４】
自動原稿送り装置Ａの側板１８にはモータＭが付設されており、該モータＭの駆動力により、分離給紙装置を構成するセパレートローラ１２と、リタードローラ１６と、フィードローラ１９・２１・２３と、排出ローラ２５とを回転駆動している。
側板１８は、自動原稿送り装置Ａの左右両側に配設されており、左右側板１８・１８間において、原稿給送路１８ａが側面視略Ｃ字状に形成され、該原稿給送路１８ａの入口部には、原稿載置板１７が原稿載置トレイＴと連続するように配設されている。
【００１５】
そして、原稿載置板１７の上方に、セパレートローラ１２、及びピックアップローラ６などで構成される分離給紙装置が配設され、該原稿載置板１７の下流側には、セパレートローラ１２に押接するリタードローラ１６を配設している。
原稿の排出部は、原稿載置トレイＴと原稿載置板１７との間の下方に位置しており、この部位に排出ローラ２５・２６を配設し、該排出ローラ２５・２６の下流側に排出原稿載置トレイＴ’を配設している。
また、原稿給送路１８ａの下端部には、原稿読取面２７が配設されている。
【００１６】
以上のように自動原稿送り装置Ａが構成され、原稿載置トレイＴ及び原稿載置板１７に積載された原稿は、ピックアップローラ６により繰り出され、セパレートローラ１２及びリタードローラ１６により一枚ずつ分離されて原稿給送路１８ａへ搬送される。
そして、原稿はフィードローラ１９・２０及びフィードローラ２１・２２によって原稿給送路１８ａ内を搬送され、原稿読取面２７にて読み取られた後に、フィードローラ２３・２４よって搬送されて、排出ローラ２５・２６により排出原稿載置トレイＴ’へ排出される。
この場合、原稿給送路１８ａに沿って配設されているフィードローラ１９・２１・２３、及び排出ローラ２５は、セパレートローラ１２よりも回転速度が速く設定されており、これによって連続的に原稿給送路１８ａ内へ給送される原稿の切れ目が分離され、この原稿の切れ目を、原稿給送路１８ａに沿設された原稿給送センサ２８が検出するように構成している。
【００１７】
次に、分離給紙装置について説明する。図３乃至図６において、セパレートローラ軸１にピックアップアーム２が回転自在に嵌装され、該ピックアップアーム２には中間伝動軸８とピックアップローラ軸３とを固設している。
ピックアップローラ軸３には、ピックアップギア筒体４と、これに隣接するローラ受け筒体５とを、回転可能に外嵌しており、該ローラ受け筒体５には、ゴムなどで構成したピックアップローラ６を外嵌固設している。
ピックアップギア筒体４に形成した筒部４ａの外周面と、ローラ受け筒体５のピックアップローラ６よりピックアップギア筒体４側の外周面とには、該ギア筒体４の回転方向を緩み方向とするようにスプリング７が外嵌されている。
【００１８】
また、前記中間伝動軸８には、中間ギア９が回転可能に嵌装され、該中間ギア９はピックアップギア筒体４と噛合している。該中間ギア９とピックアップアーム２との間にはスプリング８ａが介装され、中間ギア９はスプリング８ａによって付勢されている。
そして、前記セパレートローラ軸１には、セパレートカラー１０が回転自在に外嵌され、該セパレートカラー１０のピックアップアーム２側端部には、セパレートギア１０ａが一体的に固設され、該セパレートギア１０ａと中間ギア９とが噛合している。
そして、ピックアップアーム２の先端部は、アームスプリング１５によって、上方に回動する方向に付勢されている。
【００１９】
セパレートカラー１０には、ローラー受け筒体１１が回転自在に外嵌されており、該ローラー受け筒体１１とセパレートカラー１０とは、ローラー受け筒体１１のセパレートギア１０ａ側端部に形成した接触面１１ａの範囲のみで接触している。
また、セパレートローラ軸１には、セパレートカラー１０に隣接してセパレートハブ１３が外嵌され、該セパレートハブ１３は、固定ピン１３ａによってセパレートローラ軸１に固定され、該セパレートローラ軸１と一体的に回転するよう構成している。
そして、ローラー受け筒体１１、セパレートカラー１０、及びセパレートハブ１３の外周面には、セパレートローラ軸１の回転方向を締まり方向とするスプリングクラッチ１４を外装している。
【００２０】
セパレートハブ１３のローラー受け筒体１１とは反対側部分において、セパレートローラ軸１にセパレートローラ支持体３１を回転自在に外嵌している。
該セパレートローラ支持体３１の外周面と、前記ローラー受け筒体１１の外周面とには、セパレートローラ１２の中空筒であるローラー筒体１２ａが外嵌され、該ローラー筒体１２ａには、ゴムなどで構成したセパレートローラ１２が該ローラー筒体１２ａと一体的に外装されている。
そして、ローラー筒体１２ａはセパレートローラ支持体３１に対して回転自在に、ローラー受け筒体１１はセパレートローラ支持体３１と一体的回転するよう構成している。
【００２１】
また、ローラー受け筒体１１、セパレートカラー１０、及びセパレートハブ１３の外周面にスプリングクラッチ１４を外装したワンウェイクラッチ部は、セパレートローラ１２のローラー筒体１２ａに内設されており、このワンウェイクラッチ部の外周面と、ローラー筒体１２ａの内周面との間には、お互いが接触しないように一定の間隙を設けている。
即ち、セパレートローラ１２は、セパレートローラ支持体３１とローラー受け筒体１１とによって、セパレートローラ軸１に対して、該セパレートローラ１２の両端部のみで支持されており、セパレートローラ１２の軸方向の中央部においては、前記ローラー筒体１２ａとセパレートカラー１０とは接触していないのである。
【００２２】
このように構成した分離給紙装置において、セパレートローラ軸１が用紙搬送方向へ回転駆動すると、セパレートハブ１３が該セパレートローラ軸１と一体的に回転する。すると、スプリングクラッチ１４が締まり方向に作動して、セパレートハブ１３、セパレートカラー１０、及びローラー受け筒体１１の外周面を押接して一体状にし、ローラー受け筒体１１に一体的に支持されたセパレートローラ１２が、セパレートローラ軸１と共に回転することとなる。
一方、セパレートギア１０ａに搬送回転方向と逆方向の回転力が加わると、スプリングクラッチ１４が緩み方向に作動して、セパレートローラ軸１からのセパレートローラ１２への伝動が絶たれるワンウェイクラッチ機構を構成している。
【００２３】
前述のように、セパレートローラ軸１が用紙搬送方向へ回転駆動してスプリングクラッチ１４が締まり方向に作動すると、それに伴ってセパレートギア１０ａが回転する。セパレートギア１０ａに噛合する中間ギア９は、該セパレートギア１０ａの回転に従動しようとするが、スプリング８ａの付勢力によって回転を阻止されているので、セパレートローラ軸１へ回動自在に嵌装しているピックアップアーム２を下方に回動する。
ピックアップアーム２の回動動作に伴ってピックアップローラ６も下方回動し、該ピックアップローラ６が積載された紙面へ達すると、それ以上のピックアップローラ６の下方回動が阻止される。
ピックアップローラ６の回動動作が停止すると、セパレートギア１０ａの中間ギア９への回転伝達力が、中間ギア９にかかっているスプリング８ａの付勢力による摩擦力よりも大きくなって、該中間ギア９が中間伝動軸８に対して回転するようになる。
【００２４】
この中間ギア９の回転がピックアップギア筒体４に伝動され、該ピックアップギア筒体４の回転に伴って、ピックアップギア筒体４とスプリング７の巻締力により一体的に連結されたピックアップローラ６が回転するのである。
即ち、ピックアップギア筒体４の回転方向は、スプリング７の緩み方向であるが、ピックアップローラ６が紙面に接触している状態においては、その負荷抵抗が小さいので、該スプリング７自身の巻締力によってピックアップギア筒体４と、ピックアップローラ６を外嵌固設しているローラ受け筒体５とが一体的に連結されるのである。
尚、図５に示すように、ピックアップギア筒体４は前記セパレートギア１０ａと同一方向に回転するように構成されている。
【００２５】
以上のように構成した分離給紙装置による用紙の繰り出し作用を、図５、図６により説明する。まず、原稿載置板１７上に用紙Ｐが積載されている状態において、セパレートローラ軸１が回転駆動すると、この回転力によって前述の如くスプリングクラッチ１４が締まり方向に作動し、セパレートギア１０ａが一体的に回転する。
該セパレートギア１０ａに噛合する中間ギア９は、セパレートギア１０ａの回転に従動しようとするが、スプリング８ａの付勢力によって回転を阻止されているので、セパレートローラ軸１へ回動自在に嵌装しているピックアップアーム２を下方に回動することとなる。
ピックアップアーム２の回動動作に伴ってピックアップローラ６も下方回動し、該ピックアップローラ６が、積載された用紙Ｐの紙面へ達すると、それ以上のピックアップローラ６の下方回動が阻止される。
そして、ピックアップローラ６の回動動作が停止すると、セパレートギア１０ａの中間ギア９への回転伝達力が、中間ギア９にかかっているスプリング８ａの付勢力による摩擦力よりも大きくなって、該中間ギア９が中間伝動軸８に対して回転するようになる。
この中間ギア９の回転がピックアップギア筒体４に伝動されて、前述のようにピックアップローラ６が回転するのである。
【００２６】
こうして、ピックアップローラ６が用紙Ｐの最上面に押接する状態になると、セパレートローラ軸１の回転駆動と共に、セパレートローラ１２、及び該セパレートローラ１２に押接するリタードローラ１６が用紙搬送方向に回転し、セパレートギア１０ａ、中間ギア９、及びピックアップギア筒体４で構成するギア列の伝動により、該ピックアップローラ６がセパレートローラ１２と同一方向に回転する。
このピックアップローラ６の回転により、最上層の用紙Ｐが、下流側のセパレートローラ１２とリタードローラ１６との間に繰り出される。
繰り出された用紙が、セパレートローラ１２及びリタードローラ１６により原稿給送路１８ａへ搬送される。
【００２７】
そして、原稿給送路１８ａへ搬送された用紙が、セパレートローラ１２及びリタードローラ１６の下流側に配置したフィードローラ１９・２０により搬送されるようになると、フィードローラ１９搬送速度がセパレートローラ１２の搬送速度よりも速いためスプリングクラッチ１４が緩み、ローラー受け筒体１１、セパレートカラー１０、及びセパレートハブ１３がお互いに自由に回転可能となる。これにより、セパレートローラ１２が空回りし、セパレートカラー１０がセパレートローラ１２及びセパレートローラ軸１に対して自由に回転可能となるので、ピックアップアーム２及びピックアップローラ６が、セパレートローラ軸１に対して回動可能になると共に、スプリング１５の付勢力によって上方にはね上げられて、紙面から離れることとなる。
【００２８】
この場合、セパレートローラ１２にはリタードローラ１６がスプリング３２の付勢力により押接しているので、該セパレートローラ１２の下面には上向きの力がかかっている。
しかし、セパレートローラ１２（ローラー筒体１２ａ）はその両端部のみで支持されて、セパレートローラ１２（ローラー筒体１２ａ）の中央部においては、該セパレートローラ１２（ローラー筒体１２ａ）とセパレートカラー１０との間に空間が形成されているので、また、セパレートローラ１２を一体的に形成したローラー受け筒体１１と、セパレートカラー１０とは前記接触部１１ａのみで接触しているために、該セパレートローラ１２（ローラー筒体１２ａ）とセパレートカラー１０との間、及び、該ローラ受け筒体１１とセパレートカラー１０との間には殆ど摩擦力が生じない。
これにより、セパレートカラー１０は回転動作を規制されることがなく、自由に回転できるので、ピックアップローラ６の上昇がスムーズに行なわれることとなって、次の原稿を確実に繰り出すことができるようになる。
【００２９】
また、ローラー受け筒体１１、セパレートカラー１０、及びセパレートハブ１３の外周面にスプリングクラッチ１４を外装したワンウェイクラッチ部が、セパレートローラ１２のローラー筒体１２ａに内設されているので、セパレートローラ軸１周辺のスペースが広く使えることとなって、用紙ガイドの形状や用紙スタック量の制約が少なくなって、設計などの自由度を広げることができる。
【００３０】
【発明の効果】
本発明は、分離給紙装置において、以上のような構成とすることで、次のような効果を奏する。まず、請求項１に記載の発明では、セパレートローラはその両端部のみで支持されて、セパレートローラの中央部においては、セパレートローラとカラーとの間に中空部が形成されているので、また、セパレートローラの一端を支持するローラー受け筒体と、カラーとは反ハブ側の端部の接触部のみで接触しているために、セパレートローラとカラーとの間、及び、ローラ受け筒体とカラーとの間には殆ど摩擦力が生じず、その結果、リタードローラにより押接されるセパレートローラと該セパレートローラの駆動軸との間には殆ど摩擦力が生じずに、セパレートローラが自由に回転できて、用紙の分離及び繰り出しをスムーズに行なうことができる。
また、ローラー受け筒体、カラー、及びハブの外周面にスプリングクラッチを外装したワンウェイクラッチ部が、セパレートローラの筒体に内設されているので、セパレートローラの駆動軸周辺のスペースが広く使えることとなって、用紙ガイドの形状や用紙スタック量の制約が少なくなって、設計などの自由度を広げることができる。
【００３１】
そして、請求項２に記載の発明では、リタードローラにより押接されるセパレートローラと該セパレートローラの駆動軸との間には殆ど摩擦力が生じず、セパレートローラが自由に回転できて、用紙の分離及び繰り出しをスムーズに行なうことができ、そして、セパレートローラ及びリタードローラにより原稿給送路へ搬送された用紙が、セパレートローラ及びリタードローラの下流側に配置したフィードローラにより搬送されるようになると、フィードローラによる搬送速度がセパレートローラによる搬送速度よりも速いため前記スプリングクラッチが緩み、ローラー受け筒体、カラー、及びハブがお互いに自由に回転可能となり、これにより、セパレートローラが空回し、セパレートローラ及びリタードローラにより一枚ずつ分離された原稿はフィードローラによって原稿給送路内を搬送される。
【００３２】
また、請求項３に記載の発明では、セパレートローラの駆動軸が用紙搬送方向へ回転駆動して前記スプリングクラッチが締まり方向へ作動することで、前記ギア列を介してピックアップローラがセパレートローラと同一方向に回転し、このときリタードローラにより押接されるセパレートローラと該セパレートローラの駆動軸との間には殆ど摩擦力が生じず、セパレートローラが自由に回転できて、用紙の分離及び繰り出しをスムーズに行なうことができる。
さらに、請求項４に記載の発明では、セパレートローラの駆動軸が用紙搬送方向へ回転駆動すると、この回転力によって前記スプリングクラッチが締まり方向に作動し、駆動軸とカラーに固設したセパレートギアとが一体的に回転する。セパレートギアに噛合する中間ギアは、該セパレートギアの回転に従動しようとするが、第２のスプリングの付勢力によって回転を阻止されているので、セパレートローラの駆動軸へ回動自在に嵌装しているピックアップアームを下方に回動する。ピックアップアームの回動動作に伴ってピックアップローラも下方回動し、該ピックアップローラが原稿載置トレイに積載された用紙の紙面へ達すると、それ以上のピックアップローラの下方回動が阻止される。ピックアップローラの回動動作が停止すると、セパレートギアの中間ギアへの回転伝達力が、中間ギアにかかっている第２のスプリングの付勢力による摩擦力よりも大きくなって、該中間ギアが中間伝動軸に対して回転するようになる。
この中間ギアの回転がピックアップギアに伝動され、該ピックアップギアの回転に伴って、ピックアップギアと第１のスプリングの巻締力により一体的に連結されたピックアップローラが回転するのである。即ち、ピックアップギアの回転方向は、第１のスプリングの緩み方向であるが、ピックアップローラが紙面に接触している状態においては、その負荷抵抗が小さいので、該第１のスプリング自身の巻締力によってピックアップギアと、ピックアップローラを外嵌固設しているローラ受け筒体とが一体的に連結されるのである。
こうして、ピックアップローラが用紙の紙面に押接する状態になると、セパレートローラの駆動軸の回転駆動とともに、セパレートローラ、及び該セパレートローラに押接するリタードローラが用紙搬送方向に回転し、セパレートギア、中間ギア、及びピックアップギアで構成するギア列の伝動により、該ピックアップローラがセパレートローラと同一方向に回転する。このピックアップローラの回転により、最上層の用紙が、下流側のセパレートローラとリタードローラとの間に繰り出される。このときリタードローラにより押接されるセパレートローラと該セパレートローラの駆動軸との間には殆ど摩擦力が生じず、セパレートローラが自由に回転できて、用紙の分離及び繰り出しをスムーズに行なうことができるようになっている。
【図面の簡単な説明】
【図１】本発明の分離給紙装置を搭載した自動原稿送り装置を有するファクシミリ装置を示す斜視図である。
【図２】自動原稿送り装置を示す側面図である。
【図３】本発明の分離給紙装置を示す平面断面図である。
【図４】同じく斜視図である。
【図５】ギア列の回転方向を示す側面略図である。
【図６】分離給紙装置による用紙の繰り出しの様子を示す側面略図である。
【図７】従来の分離給紙装置を示す平面断面図である。
【符号の説明】
１  セパレートローラ軸
２  ピックアップアーム
３  ピックアップローラ軸
４  ピックアップギア筒体
６  ピックアップローラ
９  中間ギア
１０  セパレートカラー
１０ａ  セパレートギア
１１  ローラー受け筒体
１１ａ  接触面
１２  セパレートローラ
１２ａ  ローラー筒体
１３  セパレートハブ
１４  スプリングクラッチ
１６  リタードローラ
３１  セパレートローラ支持体
【図１】
0003622427.tif 000002
【図２】
0003622427.tif 000003
【図３】
0003622427.tif 000004
【図４】
0003622427.tif 000005
【図５】
0003622427.tif 000006
【図６】
0003622427.tif 000007
【図７】
0003622427.tif 000008